(57)【要約】  本発明は、多相のスイッチング装置用の導電レールを固定する装置に関する。解決すべき問題は、導電レールの取付け・取外しを簡単に行えるようにすることである。この課題を解決するために、本発明の構成では、スイッチング装置ハウジング（４）が、導電レール（８）をその取付けポジションにおいて受容するための直線的なガイドエレメント（１６）を有しており、かつ各ガイドエレメント（８）が貫通孔（２２）を有していて、該貫通孔（２２）が取付けポジションにおいて、スイッチング装置ハウジング（４）に形成された受容孔（２４）と合致するようになっており、差込みピン（２８）が貫通孔（２２）を通して所属の受容孔（２４）内に達していて、結合ウェブ（３０）と共に絶縁材料製の１つの櫛歯状差込み体（２６）にまとめられている。
2007507839.tif 000002
【特許請求の範囲】
【請求項１】
多相のスイッチング装置用の導電レールを固定する装置であって、スイッチング装置ハウジング（４）に固定された進入・進出する導電レール（８）が、それぞれその外端部に接続端子（１２）を有し、かつその内端部で、可動の接点部材と作用結合する位置固定の接点部材（１４）に通じている形式のものにおいて、
スイッチング装置ハウジング（４）が、導電レール（８）をその取付けポジションにおいて受容するための直線的なガイドエレメント（１６）を有しており、
各ガイドエレメント（８）が貫通孔（２２）を有していて、該貫通孔（２２）が取付けポジションにおいて、スイッチング装置ハウジング（４）に形成された受容孔（２４）と合致するようになっており、
差込みピン（２８）が貫通孔（２２）を通して所属の受容孔（２４）内に達していて、結合ウェブ（３０）と共に絶縁材料製の１つの櫛歯状差込み体（２６）にまとめられていることを特徴とする、多相のスイッチング装置用の導電レールを固定する装置。
【請求項２】
差込みピン（２８）が受容孔（２４）内でクランプ固定されている、請求項１記載の装置。
【請求項３】
櫛歯状差込み体（２６）がスイッチング装置のハウジングカバー（６）によって押さえられる、請求項１又は２記載の装置。
【請求項４】
差込みピン（２８）、貫通孔（２２）及び受容孔（２４）が円筒形又は角柱状に形成されている、請求項１から３までのいずれか１項記載の装置。
【請求項５】
差込みピン（２８）がその長手方向軸線に沿ってスリットを形成されている、請求項１から４までのいずれか１項記載の装置。
【請求項６】
差込みピン（２８）がその自由端部に導入面取り部（３４）を有している、請求項１から５までのいずれか１項記載の装置。
【請求項７】
結合ウェブ（３０）が差込みピン（２８）の間に、該差込みピン（２８）に対してほぼ平行に延びていて片側において開放している補償スリット（３６）を有している、請求項１から６までのいずれか１項記載の装置。
【請求項８】
結合ウェブ（３０）が、差込みピン（２８）に向かい合って位置していてグリップ状に形成されている、請求項１から７までのいずれか１項記載の装置。
【請求項９】
導電レール（８）が、ガイドエレメント（１６）とクランプ結合する突子（２５）を有している、請求項１から８までのいずれか１項記載の装置。
【請求項１０】
スイッチング装置ハウジング（４）の相分離壁（３８）に、結合ウェブ（３０）を受容する受容スリット（４０）が形成されている、請求項１から９までのいずれか１項記載の装置。
【請求項１１】
結合ウェブ（３０）が、受容スリット（４０）と交差結合する補償スリット（３６）を有している、請求項１から１０までのいずれか１項記載の装置。
【発明の詳細な説明】
【技術分野】
【０００１】
本発明は、請求項１の上位概念部に記載の形式の装置、すなわち多相のスイッチング装置用特にコンタクタ（Schuetze）用の導電レールを固定する装置であって、スイッチング装置ハウジングに固定された進入・進出する導電レールが、それぞれその外端部に接続端子を有し、かつその内端部で、可動の接点部材と作用結合する位置固定の接点部材に通じている形式のものに関する。
【０００２】
多相の電気的なスイッチング装置における導電レールは、その外端部に接続端子を有しており、かつその内端部で直接又は間接的に、位置固定の接点部材と接続されており、この位置固定の接点部材は可動の接点部材と接続・遮断させられる。導電レールをスイッチング装置ハウジング内において、プレス嵌め又は包埋成形によって固定すること（ドイツ連邦共和国特許公開第１９９０４３５５号明細書）、接着によって固定すること（ドイツ連邦共和国特許公開第１００３６３５０号明細書）、スイッチング装置ハウジングにおけるナットねじ山（ドイツ連邦共和国実用新案第２９６０４７２６号明細書）、ねじ山プレートにおけるナットねじ山（ドイツ連邦共和国特許公開第１９８１４４１０号明細書）又は導電レールにおけるナットねじ山（ドイツ連邦共和国特許第３２３２１７３号明細書）との螺合もしくはねじ結合によって固定すること、そのために設けられたハウジング部分を用いた押さえによって固定すること（ヨーロッパ特許公開第６４５７９２号明細書）、埋込みによって（ドイツ連邦共和国特許公開第１００６１３９４号明細書）又はリベッティングによって固定することが公知である。
【０００３】
導電レール固定のための公知の配置形式における欠点としては、次のことが挙げられる。すなわち公知の構成では、固定を実現するための装備、工具及び作業時間に関して高い技術的な手間並びにコストがかかり、しかも導電レールの取外しは、一部は不可能であり、一部は条件付きで可能であり、かつ一部は取外しが面倒である。例えば、メーカから推奨されて古い接点と新しい接点との交換を行おうとする顧客は、ねじ固定された導電レールを備えた三相のコンタクタでは、少なくとも６つのねじをその６つの固定エレメントと共に弛めること、並びに再び固定することが必要である。導電レールの接着は、接着面の前処理と硬化時間を必要とする。さらに接着された部分は、リサイクル時における大きな手間もしくはコストを要する。
【０００４】
ゆえに本発明の課題は、導電レールの簡単な取付け・取外しを可能にすることである。
【０００５】
この課題を解決するために本発明の構成では、冒頭に述べた形式の、多相のスイッチング装置用の導電レールを固定する装置において、請求項１の特徴部記載のように、すなわち、スイッチング装置ハウジングが、導電レールをその取付けポジションにおいて受容するための直線的なガイドエレメントを有しており、各ガイドエレメントが貫通孔を有していて、該貫通孔が取付けポジションにおいて、スイッチング装置ハウジングに形成された受容孔と合致するようになっており、差込みピンが貫通孔を通して所属の受容孔内に達していて、結合ウェブと共に絶縁材料製の１つの櫛歯状差込み体にまとめられているようにした。
【０００６】
本発明による装置の別の有利な構成は、請求項２以下に記載されている。
【０００７】
スイッチング装置ハウジングにおける直線的に形成されたガイドエレメント及び受容孔と、導電レールにおける貫通孔と、接続側毎の各１つの櫛歯状差込み体とによって、簡単な並進的な差込み運動によって導電レールの安定的な固定を可能にする、導電レールを固定する装置もしくは配置形式が得られる。これによって導電レールの固定は容易に自動化することができる。本発明による装置は、導電レール又はスイッチング装置ハウジングにおけるナットねじ山も、ねじ山付プレートも必要とせず、ねじ結合のために必要な固定エレメントを省くことができる。鉄製部分が存在しないことによって、導電レールの導電性に対して不都合な磁気的な影響も生じない。接続側のすべての導電レールの閉鎖固定及び解離は、グリップを用いて、貫通孔及び受容孔に対する櫛歯状差込み体の差込み・引き抜きによって行われる。スイッチング装置のハウジングカバーを取り外す際に、導電レールを工具なしで取付け・取外しするためには、単に２つの素早く実施される単純なグリップが接続側毎に必要なだけである。櫛歯状差込み体は、小さなねじ及び固定エレメントに合わせて寸法設定されて極めて良好に取り扱うことができる。櫛歯状差込み体はリサイクルを容易にするために、再生可能な材料から射出成形され得る。絶縁性の成形材料から成る櫛歯状差込み体は、必要な空気区間及び漏れ区間を極めて容易に維持する。この問題は、寸法が益々小さくなる傾向のあるスイッチング装置において大きな意味がある。櫛歯状差込み体の結合ウェブの表面は、顧客への注意もしくは指示を記載するために利用することができる。
【０００８】
本発明の有利な構成では、櫛歯状差込み体の差込みピンが受容孔内でクランプ固定されており、かつ／又は、櫛歯状差込み体がスイッチング装置のハウジングカバーによって押さえられるようになっている。
【０００９】
本発明の別の有利な構成では、櫛歯状差込み体において差込みピン、貫通孔及び受容孔が円筒形又は角柱状に形成されており、例えば円形横断面又は多角形横断面を有している。本発明の別の有利な構成では、貫通孔と受容孔との間における摩擦力結合及び形状結合式の結合部を生ぜしめるために、差込みピンがその長手方向軸線に沿ってスリットを形成されている。また、差込みピンがその自由端部に導入面取り部を有していると、貫通孔及び受容孔への導入が容易になる。
【００１０】
櫛歯状差込み体の別の有利な構成では、受容孔の間における間隔の誤差補償を改善するために、結合ウェブに補償スリットが設けられている。取扱いを良好にするために、結合ウェブがグリップ状に形成されていると有利である。
【００１１】
ガイドエレメントに挿入された導電レールが櫛歯状差込み体の挿入前に脱落することを防止するために、本発明の有利な構成では、導電レールが突子を備えていて、これによって導電レールがガイドエレメントへの導入時に該ガイドエレメントとクランプ結合するようになった。
【００１２】
本発明のさらに別の有利な構成では、スイッチング装置ハウジングの相分離壁、つまり相を分離する中間壁に、受容スリットが形成されていて、該受容スリットが、差し込まれた櫛歯状差込み体をその結合ウェブを介して、接続方向に対して平行に支持し、ひいては櫛歯状差込み体に作用する許容可能な引張り力及び押圧力を高めるために役立つようになっている。このような構成において有利には、補償スリットを備えた結合ウェブと、受容スリットを備えた相分離壁とが、互いに交差するように係合している。
【００１３】
次に図面を参照しながら本発明の実施の形態を説明する。
【００１４】
図１は、本発明による固定装置の実施例を、スイッチング装置の本発明にとって重要な部分と共に示す縦断面図であり、
図２は、本発明による固定装置を分解して示す斜視図であり、
図３は、本発明による固定装置の組み立てられた状態を示す斜視図である。
【００１５】
図面には、導電レールを固定する装置が、三極のコンタクタの形をした多極のスイッチング装置２の、本発明にとって重要な部分と共に示されている。スイッチング装置２はスイッチング装置ハウジング４によって取り囲まれており、図面にはスイッチング装置ハウジング４のうちのハウジング上側部分だけが示されている。スイッチング装置ハウジング４は、図１に示されているように、前面側において、取外し可能なハウジングカバー６によって閉鎖される。電流相（Stromphase）毎に、各１つの進入及び進出する導電レール８がスイッチング装置ハウジング４内に固定されている。各導電レール８はその外端部に、各接続室１０内に達する接続端子１２を有しており、かつその内端部に、位置固定の接点部材１４を備えている。１つの電流相に所属の導電レール８は汎用の形式で、図示されていない接点ブリッジによって電気的に接続・遮断され、この際に位置固定の接点部材１４は、接点ブリッジに固定された可動の接点部材と接触・離反する。
【００１６】
スイッチング装置ハウジング４には、図２に示されているように、各電流相のための各接続側に、対を成して向かい合って溝状のガイドエレメント１６が形成されている。ガイドエレメント１６の間には導電レール８のプレート状の中間部分１８が押し込まれ、つまりこの場合中間部分１８は、図１及び図３に示されている導電レール８の取付けポジションにおいてガイドエレメント１６の遮断面２０に接触するまで、押し込まれる。各電流レール８は貫通孔２２を有しており、この貫通孔２２は取付けポジションにおいてそれぞれ、スイッチング装置ハウジング４に形成された受容孔２４と合致する。導電レール８は中央部分１８に、縁部側にエンボス加工された突子２５を備えており、これらの突子２５は、ガイドエレメント１６への導電レール８の導入時にクランプ作用を生ぜしめ、このクランプ作用は、導電レール８をスイッチング装置２の製造中における搬送時に、ガイドエレメント１６からの滑り出しを阻止するのに十分である。
【００１７】
固定装置の一部としてはさらに、各接続側のための絶縁性の成形材料から成る櫛歯状差込み体２６がある。この櫛歯状差込み体２６は各電流相のために、円筒形の差込みピン２８を有している。それぞれ１つの接続側に所属の差込みピン２８は、プレート状の結合ウェブ３０を介して互いに結合されている。結合ウェブ３０からは一方向に差込みピン２８が進出している。結合ウェブ３０はグリップ３２を備えていて、このグリップ３２は、進出している差込みピン２８とは反対側に位置している。
【００１８】
取付けポジションにおいて導電レール８を固定するために、櫛歯状差込み体２６の差込みピン２８は導電レール８の貫通孔２２を通してクランプするようにスイッチング装置ハウジング４の受容孔２４内に押し込まれる。差込みを容易にするために、差込みピン２８はその自由端部に導入面取り部３４を備えて構成されている。受容孔２４と差込みピン２８との幾何学的な間隔の間における公差を良好に補償できるようにするために、結合ウェブ３０は図示のように図面で見て下方に向かって開放した補償スリット３６を差込みピン２８の間に備えて構成されている。櫛歯状差込み体２６はその取付けポジションにおいて付加的に、装着されたハウジングカバー６によって押さえられる。
【００１９】
スイッチング装置ハウジング４は、長手方向に延在する連続した内側の相分離壁３８を有している。これらの相分離壁３８には図示のように各接続側に図面で見て上方に向かって開放する受容スリット４０が形成されており、これらの受容スリット４０は受容孔２４とそれぞれ一平面に位置している。受容スリット４０は、導入された櫛歯状差込み体２６の結合ウェブ３０を受け入れる。この場合一方では、受容スリット４０に隣接した相分離壁３８の壁部分が両側で結合ウェブ３０を取り囲み、かつそれとは直角に他方では、補償スリット３６に隣接した結合ウェブ３０の部分が両側で相分離壁３８を取り囲む。このようにして櫛歯状差込み体２６はスイッチング装置ハウジング４と十字形に結合される。
【００２０】
スイッチング装置ハウジング４内において導電レール８が、一方では共働するエレメントつまり中間部分１８及びガイドエレメント１６を介して、かつ他方では共働するエレメントつまり受容孔２４、差込みピン２８及び貫通孔２２を介して、一部は摩擦力結合式（kraftschluessig）に一部は形状結合式（formschluessig）に結合されていることによって、簡単かつ確実でしかも再び問題なく解離可能な固定配置形式が実現される。差込みピン２８には、特に接続側における引張り負荷時に、剪断方向の負荷が加えられる。差込みピン２８の横断面は、選択される材料との関連において次のように、すなわち差込みピン２８が予期される負荷に耐えられるように寸法設定される。櫛歯状差込み体２６は図示の幾何学的な構成によって公差を十分に補償することができる。１０分の１ｍｍ範囲における相間隔に関するスイッチング装置ハウジング４の相違は、櫛歯状差込み体２６によって問題なく克服することができる。分解・組立てする顧客の注意を櫛歯状差込み体２６に向けさせるために、これらの部分に対しては、スイッチング装置ハウジング４とは明らかに異なる色彩構成を使用することが有利である。
【００２１】
本発明は図示の実施形態に制限されるものではなく、本発明の意味において同様に作用するすべての実施形態を含んでいる。本発明は例えば、弾性的なクランプ力を作用させるために差込みピンがその長手方向軸線に沿って単純に又は交差するようにスリット形成されているように、構成されていてもよい。
【図面の簡単な説明】
【００２２】
【図１】本発明による固定装置の実施例を、スイッチング装置の本発明にとって重要な部分と共に示す縦断面図である。
【図２】本発明による固定装置を分解して示す斜視図である。
【図３】本発明による固定装置の組み立てられた状態を示す斜視図である。
【図１】
2007507839.tif 000003
【図２】
2007507839.tif 000004
【図３】
2007507839.tif 000005
【国際調査報告】
2007507839.tif 000006
2007507839.tif 000007
2007507839.tif 000008
2007507839.tif 000009